(57)【要約】【解決手段】  下記一般式（１）で表されるかご状オリゴシロキサン構造を有する一官能性モノマー。  【化１】2006104325.tif 000025（式中、Ｘは酸素原子を含有する炭素数１〜４０の重合性基を表す。Ｒ1は同一でも異なってもよく、炭素数１〜２０の飽和炭化水素基、炭素数６〜２０の芳香族炭化水素基、炭素数１〜２０のオルガノキシ基、ハロゲン原子の中から選ばれる基を表す。Ｒはハロゲン原子で置換されていてもよい炭素数１〜４０の非重合性一価炭化水素基を表し、同一ケイ素原子に結合したＲは互いに同一でも異なっていてもよい。）【効果】  本発明により、溶媒や他の重合性モノマーとの相溶性を改善した新規なかご状オリゴシロキサン構造を有する一官能性モノマー及びその製造方法が提供される。また本発明の製造方法によれば、かご状オリゴシロキサン構造を有する一官能性モノマーが一段階で高純度かつ高収率で得られる。【選択図】  なし【特許請求の範囲】
【請求項１】
下記一般式（１）で表されるかご状オリゴシロキサン構造を有する一官能性モノマー。
【化１】
2006104325.tif 000019
（式中、Ｘは酸素原子を含有する炭素数１〜４０の重合性基を表す。Ｒ1は同一でも異なってもよく、炭素数１〜２０の飽和炭化水素基、炭素数６〜２０の芳香族炭化水素基、炭素数１〜２０のオルガノキシ基、ハロゲン原子の中から選ばれる基を表す。Ｒはハロゲン原子で置換されていてもよい炭素数１〜４０の非重合性一価炭化水素基を表し、同一ケイ素原子に結合したＲは互いに同一でも異なっていてもよい。）
【請求項２】
一般式（１）において、Ｘがメタクリロイル基又はアクリロイル基を含有することを特徴とする請求項１記載のかご状オリゴシロキサン構造を有する一官能性モノマー。
【請求項３】
一般式（１）において、Ｘがエポキシドを含有することを特徴とする請求項１記載のかご状オリゴシロキサン構造を有する一官能性モノマー。
【請求項４】
一般式（１）において、Ｘが環状酸無水物を含有することを特徴とする請求項１記載のかご状オリゴシロキサン構造を有する一官能性モノマー。
【請求項５】
下記一般式（２）で表されるシラノール部位を有するかご状オリゴシロキサンと、下記一般式（３）で表される有機ケイ素化合物とを反応させることを特徴とする一般式（１）で表されるかご状オリゴシロキサン構造を有する一官能性モノマーの製造方法。
【化２】
2006104325.tif 000020
（式中、Ｒはハロゲン原子で置換されていてもよい炭素数１〜４０の非重合性一価炭化水素基を表し、同一ケイ素原子に結合したＲは互いに同一でも異なっていてもよい。）
【化３】
2006104325.tif 000021
（式中、Ｘは酸素原子を含有する炭素数１〜４０の重合性基を表す。Ａは炭素数１〜２０のオルガノキシ基又はハロゲン原子を表す。Ｒ1は同一でも異なってもよく、炭素数１〜２０の飽和炭化水素基、炭素数６〜２０の芳香族炭化水素基、炭素数１〜２０のオルガノキシ基、ハロゲン原子の中から選ばれる基を表す。）
【請求項６】
下記一般式（２）で表されるシラノール部位を有するかご状オリゴシロキサンと、下記一般式（４）で表される有機ケイ素化合物とを反応させた後、下記一般式（５）で表される酸素原子を含有する重合性基を有する炭素数４０以下の不飽和化合物とヒドロシリル化反応により結合させることを特徴とする一般式（１）で表されるかご状オリゴシロキサン構造を有する一官能性モノマーの製造方法。
【化４】
2006104325.tif 000022
（式中、Ｒはハロゲン原子で置換されていてもよい炭素数１〜４０の非重合性一価炭化水素基を表し、同一ケイ素原子に結合したＲは互いに同一でも異なっていてもよい。）
【化５】
2006104325.tif 000023
（式中、Ａは炭素数１〜２０のオルガノキシ基又はハロゲン原子を表す。Ｒ1は同一でも異なってもよく、炭素数１〜２０の飽和炭化水素基、炭素数６〜２０の芳香族炭化水素基、炭素数１〜２０のオルガノキシ基、ハロゲン原子の中から選ばれる基を表す。）
【化６】
2006104325.tif 000024
（式中、Ｚは酸素原子を含有する炭素数１〜３８の重合性一価有機基を示す。）
【発明の詳細な説明】
【技術分野】
【０００１】
本発明は、かご状オリゴシロキサン構造を有する新規な一官能性モノマー及びその製造方法に関する。
【背景技術】
【０００２】
かご状オリゴシロキサンはナノメートルオーダーの大きさを有する無機コア部分の周辺部分に様々な有機基が配置された構造を有し、有機ポリマーに添加して補強剤や難燃剤等としての用途開発がなされている。例えば米国特許第６３６２２７９号明細書（特許文献１）にはプラスティックにかご状オリゴシロキサンを添加して難燃性を向上させる方法が記載されている。また、国際公開特許０１／７２８８５号パンフレット（特許文献２）には機械特性の向上のためにポリマーにかご状オリゴシロキサンを溶融混練により配合する方法が示されている。
【０００３】
一方、単にかご状オリゴシロキサンをポリマーと混練するのでなく、ポリマーに共有結合させて機械特性や熱特性その他の諸物性を向上させる試みが数多く報告されている。例えば米国特許第５４８４８６７号明細書（特許文献３）には種々の重合性基を有するかご状オリゴシロキサンを用いたポリマーの合成が記載されている。また、米国特許第６６５３３６５号明細書（特許文献４）には歯科用材料として、反応性基を有するかご状オリゴシロキサンと重合性の樹脂からなる組成物が開示されている。
【０００４】
これらの公知文献では一官能性の重合性かご状オリゴシロキサンが使用されているが、二官能性又はそれ以上の他官能性モノマーが混入すると予想外の架橋の原因となり、得られるポリマーの分子量や物性をコントロールすることが難しくなる。高純度な一官能性かご状オリゴシロキサンは、かご状ヘプタシロキサントリオール（以下、Ｔ７−トリシラノールという）と重合性オルガノトリクロロシラン（Ｒxは重合性官能基）とを反応させる方法（下記スキーム（Ａ））により製造されることが上記米国特許第５４８４８６７号明細書（特許文献３）に記載されている。
【０００５】
【化１】
2006104325.tif 000002
【０００６】
つまり、まず前駆体であるＴ７−トリシラノールの製造が不可欠であるが、この化合物が高収率でかつ純度よく単離できるケイ素上の置換基（スキーム（Ａ）におけるＲi）の種類には限りがある。その代表例は、イソブチル基、シクロペンチル基、シクロヘキシル基等である。
【０００７】
ところが、これらのアルキル基又はシクロアルキル基で置換されたかご状オリゴシロキサンは一般的に溶解性が低い。故にこれらの置換基を有する重合性かご状オリゴシロキサンを用いる重合反応においては多量の溶媒を必要とし、あるいは他のモノマーと共重合する場合においてはかご状シロキサン含有のモノマー比率を上げにくいという問題があった。
【０００８】
かご状オリゴシロキサンの溶解性に対しては、かご状骨格を形成しているケイ素原子上の置換基の寄与が大きい。例えば特開平６−３２９６８７号公報（特許文献５）では直鎖状のオルガノオリゴシロキシ基をケイ素原子上に導入することにより、オルガノポリシロキサンとの相溶性を向上させることに成功している。
【０００９】
ところが、このような溶解性を高める置換基を有するＴ７−トリシラノールを合成することは困難であるため、上記スキーム（Ａ）の方法で重合性官能基ＲXを有するかご状オリゴシロキサンを得ることはできなかった。
【００１０】
別法として特開２０００−２９８２８６号公報（特許文献６）においては、二種のオルガノトリアルコキシシランを混合して加水分解及び縮合させることによって、重合性かご状オリゴシロキサンが得られるとしている（例えば下記スキーム（Ｂ））。
【００１１】
【化２】
2006104325.tif 000003
【００１２】
また、特開平２−１７８２９１号公報（特許文献７）では、かご状アンモニウムシリケートをシリル化する際に二種類のシリル化剤を併用することによって、又はかご状骨格を構成するケイ素原子に結合するオルガノシロキシ基の交換反応を行わせることにより、二種のオルガノシロキシ基を有するかご状オリゴシロキサンを得ている。特開２００４−８３６２６号公報（特許文献８）及び特開２００４−１８９８４０号公報（特許文献９）にはかご状オリゴシロキサンを含有する樹脂組成物が開示されており、重合性基の数は特定されていないもののかご状オリゴシロキサンが例示されている。そして、このかご状オリゴシロキサンは三官能性有機ケイ素モノマーの加水分解により製造できると記載されている。
【００１３】
しかしながら、これらの方法では上記の特開平２−１７８２９１号公報（特許文献７）の実施例で述べられているように生成物は必然的に各種シロキサンの混合物であり、目的の一官能性モノマーが生成したとしてもその精製は困難である。従って、これらの方法で高純度の一官能性かご状オリゴシロキサンを得ることは難しかった。
このように、溶解性を高めた重合性かご状オリゴシロキサンを高収率かつ高純度で製造する方法が望まれていた。
【００１４】
【特許文献１】米国特許第６３６２２７９号明細書
【特許文献２】国際公開特許０１／７２８８５号パンフレット
【特許文献３】米国特許第５４８４８６７号明細書
【特許文献４】米国特許第６６５３３６５号明細書
【特許文献５】特開平６−３２９６８７号公報
【特許文献６】特開２０００−２９８２８６号公報
【特許文献７】特開平２−１７８２９１号公報
【特許文献８】特開２００４−８３６２６号公報
【特許文献９】特開２００４−１８９８４０号公報
【発明の開示】
【発明が解決しようとする課題】
【００１５】
本発明は、上記要望に応えるためになされたもので、各種溶媒や化合物に対する溶解性・相溶性を改善した新規なかご状オリゴシロキサン構造を有する一官能性モノマー及びその製造方法を提供することを目的とする。
【課題を解決するための手段】
【００１６】
本発明者らは、前記課題を解決するため鋭意検討を行った結果、新規なかご状オリゴシロキサン構造を有する一官能性モノマーとその製造方法を知見するに至った。
【００１７】
即ち、本発明は下記一般式（１）で表されるかご状オリゴシロキサン構造を有する一官能性モノマーを提供する。
【００１８】
【化３】
2006104325.tif 000004
【００１９】
上記一般式（１）において、Ｘは酸素原子を含有する炭素数１〜４０の重合性基を表す。Ｒ1は同一でも異なってもよく、炭素数１〜２０の飽和炭化水素基、炭素数６〜２０の芳香族炭化水素基、炭素数１〜２０のオルガノキシ基、ハロゲン原子の中から選ばれる基を表す。Ｒはハロゲン原子で置換されていてもよい炭素数１〜４０の非重合性一価炭化水素基を表し、同一ケイ素原子に結合したＲは互いに同一でも異なっていてもよい。
【００２０】
更に、本発明は下記一般式（２）で表されるシラノール部位を有するかご状オリゴシロキサンと下記一般式（３）で表される有機ケイ素化合物とを反応させることを特徴とする上記一般式（１）で表されるかご状オリゴシロキサン構造を有する一官能性モノマーの製造方法を提供する。
【００２１】
【化４】
2006104325.tif 000005
【００２２】
上記一般式（２）において、Ｒはハロゲン原子で置換されていてもよい炭素数１〜４０の非重合性一価炭化水素基を表し、同一ケイ素原子に結合したＲは互いに同一でも異なっていてもよい。
【００２３】
【化５】
2006104325.tif 000006
【００２４】
上記一般式（３）において、Ｘは酸素原子を含有する炭素数１〜４０の重合性基を表す。Ａは炭素数１〜２０のオルガノキシ基又はハロゲン原子を表す。Ｒ1は同一でも異なってもよく、炭素数１〜２０の飽和炭化水素基、炭素数６〜２０の芳香族炭化水素基、炭素数１〜２０のオルガノキシ基、ハロゲン原子の中から選ばれる基を表す。
【００２５】
なお、更に、本発明は、下記一般式（２）で表されるシラノール部位を有するかご状オリゴシロキサンと、下記一般式（４）で表される有機ケイ素化合物とを反応させた後、下記一般式（５）で表される酸素原子を含有する重合性基を有する炭素数４０以下の不飽和化合物とヒドロシリル化反応により結合させることを特徴とする上記一般式（１）で表されるかご状オリゴシロキサン構造を有する一官能性モノマーの製造方法を提供する。
【００２６】
【化６】
2006104325.tif 000007
（式中、Ｒはハロゲン原子で置換されていてもよい炭素数１〜４０の非重合性一価炭化水素基を表し、同一ケイ素原子に結合したＲは互いに同一でも異なっていてもよい。）
【００２７】
【化７】
2006104325.tif 000008
（式中、Ａは炭素数１〜２０のオルガノキシ基又はハロゲン原子を表す。Ｒ1は同一でも異なってもよく、炭素数１〜２０の飽和炭化水素基、炭素数６〜２０の芳香族炭化水素基、炭素数１〜２０のオルガノキシ基、ハロゲン原子の中から選ばれる基を表す。）
【００２８】
【化８】
2006104325.tif 000009
（式中、Ｚは酸素原子を含有する炭素数１〜３８の重合性一価有機基を示す。）
【発明の効果】
【００２９】
本発明により、溶媒や他の重合性モノマーとの相溶性を改善した新規なかご状オリゴシロキサン構造を有する一官能性モノマー及びその製造方法が提供される。また本発明の製造方法によれば、かご状オリゴシロキサン構造を有する一官能性モノマーが一段階で高純度かつ高収率で得られる。
【発明を実施するための最良の形態】
【００３０】
本発明のかご状オリゴシロキサン構造を有する一官能性モノマーは下記一般式（１）で表される。
【００３１】
【化９】
2006104325.tif 000010
【００３２】
上記一般式（１）において、Ｘは酸素原子を含有する炭素数１〜４０の重合性基である。具体的にはオキシラニル基、２，３−エポキシプロピル基、３，４−エポキシブチル基、３，４−エポキシシクロヘキシル基、２，３−エポキシシクロヘキシル基、グリシジルオキシプロピル基、３，４−エポキシシクロヘキシルエチル基、３−エチルオキセタン−３−イルメチル基、［３−（３−エチルオキセタン−３−イル）メチルオキシ］プロピル基等の環状エーテル含有基、アクリロイルオキシプロピル基、アクリロイルオキシメチル基、メタクリロイルオキシプロピル基、メタクリロイルオキシメチル基、アクリロイルアミノメチル基、アクリロイルアミノプロピル基、メタクリロイルアミノメチル基、メタクリロイルアミノプロピル基、アクリロイルチオプロピル基、メタクリロイルチオプロピル基等の（メタ）アクリロイル含有基、テトラヒドロフラン−２，５−ジオン−３−イルプロピル基、１，３−ジヒドロイソベンゾフラン−１，３−ジオン−５−イル基等の環状酸無水物含有基、ビニロキシメチル基、ビニロキシプロピル基、イソプロペノキシメチル基、イソプロペノキシプロピル基等のビニルエーテル含有基等が挙げられ、特にメタクリロイル基、アクリロイル基、エポキシド、又は環状酸無水物を含有することが好ましい。
【００３３】
上記一般式（１）において、Ｒ1は同一でも異なってもよく、炭素数１〜２０の飽和炭化水素基、炭素数６〜２０の芳香族炭化水素基、炭素数１〜２０のオルガノキシ基、ハロゲン原子の中から選ばれる基を表す。Ｒ1で表される基の具体例としては、メチル基、エチル基、ｎ−プロピル基、イソプロピル基、ｎ−ブチル基、イソブチル基、ｔｅｒｔ−ブチル基、ペンチル基、シクロペンチル基、イソペンチル基、ｔｅｒｔ−ペンチル基、ヘキシル基、シクロヘキシル基、２−エチルヘキシル基、オクチル基、イソオクチル基、デシル基、ドデシル基、ステアリル基等の直鎖状、分岐鎖状、環状のアルキル基、フェニル基、４−ｔｅｒｔ−ブチルフェニル基、２−トリル基、３−トリル基、４−トリル基、２，６−ジメチルフェニル基、２，４−ジメチルフェニル基、３，５−ジメチルフェニル基、３，４−ジメチルフェニル基、２，５−ジメチルフェニル基、ナフチル基、ビフェニリル基等のアリール基、ベンジル基、１−フェニルエチル基、２−フェニルエチル基、ナフチルエチル基等のアラルキル基、メトキシ基、エトキシ基、ｎ−プロポキシ基、イソプロポキシ基、ｎ−ブトキシ基、イソブトキシ基、ｔｅｒｔ−ブトキシ基、ペンチルオキシ基、シクロペンチルオキシ基、イソペンチルオキシ基、ｔｅｒｔ−ペンチルオキシ基、ヘキシルオキシ基、シクロヘキシルオキシ基、２−エチルヘキシルオキシ基、オクチルオキシ基、イソオクチルオキシ基、デシルオキシ基、ドデシルオキシ基、ステアリルオキシ基、フェノキシ基、４−ｔｅｒｔ−ブチルフェノキシ基、２−トリルオキシ基、３−トリルオキシ基、４−トリルオキシ基、２，６−ジメチルフェノキシ基、２，４−ジメチルフェノキシ基、３，５−ジメチルフェノキシ基、３，４−ジメチルフェノキシ基、２，５−ジメチルフェノキシ基、ナフチルオキシ基、ビフェニリルオキシ基、ベンジルオキシ基、フェニルエチルオキシ基等のオルガノキシ基、フルオロ基、クロロ基、ブロモ基、ヨード基等が挙げられる。
【００３４】
上記一般式（１）において、Ｒはハロゲン原子で置換されていてもよい炭素数１〜４０の非重合性一価炭化水素基を表し、同一ケイ素原子に結合したＲは互いに同一でも異なっていてもよい。このようなＲの具体例としては、メチル基、クロロメチル基、エチル基、ｎ−プロピル基、イソプロピル基、ｎ−ブチル基、イソブチル基、ｔｅｒｔ−ブチル基、ペンチル基、シクロペンチル基、イソペンチル基、ｔｅｒｔ−ペンチル基、ヘキシル基、シクロヘキシル基、４−ｔｅｒｔ−ブチルシクロヘキシル基、２−エチルヘキシル基、オクチル基、イソオクチル基、デシル基、ドデシル基、ステアリル基、ヘキサデシル基、オクタデシル基、イコシル基等の直鎖状、分岐鎖状、環状のアルキル基、フェニル基、４−ｔｅｒｔ−ブチルフェニル基、３，５−ジーｔｅｒｔ−ブチルフェニル基、２−トリル基、３−トリル基、４−トリル基、２，６−ジメチルフェニル基、２，４−ジメチルフェニル基、３，５−ジメチルフェニル基、３，４−ジメチルフェニル基、２，５−ジメチルフェニル基、ナフチル基、ビフェニリル基、フェナンスリル基、アントラセニル基等のアリール基、ベンジル基、１−フェニルエチル基、２−フェニルエチル基、ナフチルエチル基等のアラルキル基等が挙げられる。
【００３５】
上記一般式（１）で表されるかご状オリゴシロキサン構造を有する一官能性モノマーとして具体的には、例えば、１−オキシラニルジメチルシロキシ−３，５，７，９，１１，１３，１５−ヘプタキス（トリメチルシロキシ）ペンタシクロ［９．５．１．１3,9．１5,15．１7,13］オクタシロキサン、１−（２，３−エポキシプロピル）ジメチルシロキシ−３，５，７，９，１１，１３，１５−ヘプタキス（トリメチルシロキシ）ペンタシクロ［９．５．１．１3,9．１5,15．１7,13］オクタシロキサン、１−（３，４−エポキシシクロヘキシル）ジメチルシロキシ−３，５，７，９，１１，１３，１５−ヘプタキス（トリメチルシロキシ）ペンタシクロ［９．５．１．１3,9．１5,15．１7,13］オクタシロキサン、１−（２，３−エポキシシクロヘキシル）ジメチルシロキシ−３，５，７，９，１１，１３，１５−ヘプタキス（トリメチルシロキシ）ペンタシクロ［９．５．１．１3,9．１5,15．１7,13］オクタシロキサン、１−（グリシジルオキシプロピル）ジメチルシロキシ−３，５，７，９，１１，１３，１５−ヘプタキス（トリメチルシロキシ）ペンタシクロ［９．５．１．１3,9．１5,15．１7,13］オクタシロキサン、１−（３，４−エポキシシクロヘキシルエチル）ジメチルシロキシ−３，５，７，９，１１，１３，１５−ヘプタキス（トリメチルシロキシ）ペンタシクロ［９．５．１．１3,9．１5,15．１7,13］オクタシロキサン、１−（２，３−エポキシシクロヘキシルエチル）ジメチルシロキシ−３，５，７，９，１１，１３，１５−ヘプタキス（トリメチルシロキシ）ペンタシクロ［９．５．１．１3,9．１5,15．１7,13］オクタシロキサン、１−［３−（３−エチルオキセタン−３−イル）メチルオキシ］プロピルジメチルシロキシ−３，５，７，９，１１，１３，１５−ヘプタキス（トリメチルシロキシ）ペンタシクロ［９．５．１．１3,9．１5,15．１7,13］オクタシロキサン、１−（３−アクリロイルオキシプロピル）ジメチルシロキシ−３，５，７，９，１１，１３，１５−ヘプタキス（トリメチルシロキシ）ペンタシクロ［９．５．１．１3,9．１5,15．１7,13］オクタシロキサン、１−（アクリロイルオキシメチル）ジメチルシロキシ−３，５，７，９，１１，１３，１５−ヘプタキス（トリメチルシロキシ）ペンタシクロ［９．５．１．１3,9．１5,15．１7,13］オクタシロキサン、１−［（３−メタクリロイルオキシ）プロピル］ジメチルシロキシ−３，５，７，９，１１，１３，１５−ヘプタキス（トリメチルシロキシ）ペンタシクロ［９．５．１．１3,9．１5,15．１7,13］オクタシロキサン、１−（メタクリロイルオキシメチル）ジメチルシロキシ−３，５，７，９，１１，１３，１５−ヘプタキス（トリメチルシロキシ）ペンタシクロ［９．５．１．１3,9．１5,15．１7,13］オクタシロキサン、１−（アクリロイルアミノメチル）ジメチルシロキシ−３，５，７，９，１１，１３，１５−ヘプタキス（トリメチルシロキシ）ペンタシクロ［９．５．１．１3,9．１5,15．１7,13］オクタシロキサン、１−［３−（アクリロイルアミノ）プロピル］ジメチルシロキシ−３，５，７，９，１１，１３，１５−ヘプタキス（トリメチルシロキシ）ペンタシクロ［９．５．１．１3,9．１5,15．１7,13］オクタシロキサン、１−（メタクリロイルアミノメチル��ジメチルシロキシ−３，５，７，９，１１，１３，１５−ヘプタキス（トリメチルシロキシ）ペンタシクロ［９．５．１．１3,9．１5,15．１7,13］オクタシロキサン、１−［３−（メタクリロイルアミノ）プロピル］ジメチルシロキシ−３，５，７，９，１１，１３，１５−ヘプタキス（トリメチルシロキシ）ペンタシクロ［９．５．１．１3,9．１5,15．１7,13］オクタシロキサン、１−［３−（アクリロイルチオ）プロピル］ジメチルシロキシ−３，５，７，９，１１，１３，１５−ヘプタキス（トリメチルシロキシ）ペンタシクロ［９．５．１．１3,9．１5,15．１7,13］オクタシロキサン、１−［３−（メタクリロイルチオ）プロピル］ジメチルシロキシ−３，５，７，９，１１，１３，１５−ヘプタキス（トリメチルシロキシ）ペンタシクロ［９．５．１．１3,9．１5,15．１7,13］オクタシロキサン、１−（テトラヒドロフラン−２，５−ジオン−３−イルプロピル）ジメチルシロキシ−３，５，７，９，１１，１３，１５−ヘプタキス（トリメチルシロキシ）ペンタシクロ［９．５．１．１3,9．１5,15．１7,13］オクタシロキサン、１−（１，３−ジヒドロイソベンゾフラン−１，３−ジオン−５−イル）ジメチルシロキシ−３，５，７，９，１１，１３，１５−ヘプタキス（トリメチルシロキシ）ペンタシクロ［９．５．１．１3,9．１5,15．１7,13］オクタシロキサン、１−（ビニロキシメチル）ジメチルシロキシ−３，５，７，９，１１，１３，１５−ヘプタキス（トリメチルシロキシ）ペンタシクロ［９．５．１．１3,9．１5,15．１7,13］オクタシロキサン、１−（ビニロキシプロピル）ジメチルシロキシ−３，５，７，９，１１，１３，１５−ヘプタキス（トリメチルシロキシ）ペンタシクロ［９．５．１．１3,9．１5,15．１7,13］オクタシロキサン、１−（イソプロペノキシメチル）ジメチルシロキシ−３，５，７，９，１１，１３，１５−ヘプタキス（トリメチルシロキシ）ペンタシクロ［９．５．１．１3,9．１5,15．１7,13］オクタシロキサン、１−（イソプロペノキシプロピル）ジメチルシロキシ−３，５，７，９，１１，１３，１５−ヘプタキス（トリメチルシロキシ）ペンタシクロ［９．５．１．１3,9．１5,15．１7,13］オクタシロキサン、
１−（グリシジルオキシプロピル）ジエチルシロキシ−３，５，７，９，１１，１３，１５−ヘプタキス（トリメチルシロキシ）ペンタシクロ［９．５．１．１3,9．１5,15．１7,13］オクタシロキサン、１−（３，４−エポキシシクロヘキシルエチル）ジエチルシロキシ−３，５，７，９，１１，１３，１５−ヘプタキス（トリメチルシロキシ）ペンタシクロ［９．５．１．１3,9．１5,15．１7,13］オクタシロキサン、１−（３−アクリロイルオキシプロピル）ジエチルシロキシ−３，５，７，９，１１，１３，１５−ヘプタキス（トリメチルシロキシ）ペンタシクロ［９．５．１．１3,9．１5,15．１7,13］オクタシロキサン、１−（３−メタクリロイルオキシプロピル）ジエチルシロキシ−３，５，７，９，１１，１３，１５−ヘプタキス（トリメチルシロキシ）ペンタシクロ［９．５．１．１3,9．１5,15．１7,13］オクタシロキサン、１−（テトラヒドロフラン−２，５−ジオン−３−イルプロピル）ジエチルシロキシ−３，５，７，９，１１，１３，１５−ヘプタキス（トリメチルシロキシ）ペンタシクロ［９．５．１．１3,9．１5,15．１7,13］オクタシロキサン、１−（１，３−ジヒドロイソベンゾフラン−１，３−ジオン−５−イル）ジエチルシロキシ−３，５，７，９，１１，１３，１５−ヘプタキス（トリメチルシロキシ）ペンタシクロ［９．５．１．１3,9．１5,15．１7,13］オクタシロキサン、
１−（グリシジルオキシプロピル）（メトキシ）メチルシロキシ−３，５，７，９，１１，１３，１５−ヘプタキス（トリメチルシロキシ）ペンタシクロ［９．５．１．１3,9．１5,15．１7,13］オクタシロキサン、１−（３，４−エポキシシクロヘキシルエチル）（メトキシ）メチルシロキシ−３，５，７，９，１１，１３，１５−ヘプタキス（トリメチルシロキシ）ペンタシクロ［９．５．１．１3,9．１5,15．１7,13］オクタシロキサン、１−（３−アクリロイルオキシプロピル）（メトキシ）メチルシロキシ−３，５，７，９，１１，１３，１５−ヘプタキス（トリメチルシロキシ）ペンタシクロ［９．５．１．１3,9．１5,15．１7,13］オクタシロキサン、１−（３−メタクリロイルオキシプロピル）（メトキシ）メチルシロキシ−３，５，７，９，１１，１３，１５−ヘプタキス（トリメチルシロキシ）ペンタシクロ［９．５．１．１3,9．１5,15．１7,13］オクタシロキサン、１−（テトラヒドロフラン−２，５−ジオン−３−イルプロピル）（メトキシ）メチルシロキシ−３，５，７，９，１１，１３，１５−ヘプタキス（トリメチルシロキシ）ペンタシクロ［９．５．１．１3,9．１5,15．１7,13］オクタシロキサン、１−（１，３−ジヒドロイソベンゾフラン−１，３−ジオン−５−イル）（メトキシ）メチルシロキシ−３，５，７，９，１１，１３，１５−ヘプタキス（トリメチルシロキシ）ペンタシクロ［９．５．１．１3,9．１5,15．１7,13］オクタシロキサン、
１−（グリシジルオキシプロピル）ジメトキシシロキシ−３，５，７，９，１１，１３，１５−ヘプタキス（トリメチルシロキシ）ペンタシクロ［９．５．１．１3,9．１5,15．１7,13］オクタシロキサン、１−（３，４−エポキシシクロヘキシルエチル）ジメトキシシロキシ−３，５，７，９，１１，１３，１５−ヘプタキス（トリメチルシロキシ）ペンタシクロ［９．５．１．１3,9．１5,15．１7,13］オクタシロキサン、１−（３−アクリロイルオキシプロピル）ジメトキシシロキシ−３，５，７，９，１１，１３，１５−ヘプタキス（トリメチルシロキシ）ペンタシクロ［９．５．１．１3,9．１5,15．１7,13］オクタシロキサン、１−（３−メタクリロイルオキシプロピル）ジメトキシシロキシ−３，５，７，９，１１，１３，１５−ヘプタキス（トリメチルシロキシ）ペンタシクロ［９．５．１．１3,9．１5,15．１7,13］オクタシロキサン、１−（テトラヒドロフラン−２，５−ジオン−３−イルプロピル）ジメトキシシロキシ−３，５，７，９，１１，１３，１５−ヘプタキス（トリメチルシロキシ）ペンタシクロ［９．５．１．１3,9．１5,15．１7,13］オクタシロキサン、１−（１，３−ジヒドロイソベンゾフラン−１，３−ジオン−５−イル）ジメトキシシロキシ−３，５，７，９，１１，１３，１５−ヘプタキス（トリメチルシロキシ）ペンタシクロ［９．５．１．１3,9．１5,15．１7,13］オクタシロキサン、
１−（グリシジルオキシプロピル）（エトキシ）メチルシロキシ−３，５，７，９，１１，１３，１５−ヘプタキス（トリメチルシロキシ）ペンタシクロ［９．５．１．１3,9．１5,15．１7,13］オクタシロキサン、１−（３，４−エポキシシクロヘキシルエチル）（エトキシ）メチルシロキシ−３，５，７，９，１１，１３，１５−ヘプタキス（トリメチルシロキシ）ペンタシクロ［９．５．１．１3,9．１5,15．１7,13］オクタシロキサン、１−（３−アクリロイルオキシプロピル）（エトキシ）メチルシロキシ−３，５，７，９，１１，１３，１５−ヘプタキス（トリメチルシロキシ）ペンタシクロ［９．５．１．１3,9．１5,15．１7,13］オクタシロキサン、１−（３−メタクリロイルオキシプロピル）（エトキシ）メチルシロキシ−３，５，７，９，１１，１３，１５−ヘプタキス（トリメチルシロキシ）ペンタシクロ［９．５．１．１3,9．１5,15．１7,13］オクタシロキサン、１−（テトラヒドロフラン−２，５−ジオン−３−イルプロピル）（エトキシ）メチルシロキシ−３，５，７，９，１１，１３，１５−ヘプタキス（トリメチルシロキシ）ペンタシクロ［９．５．１．１3,9．１5,15．１7,13］オクタシロキサン、１−（１，３−ジヒドロイソベンゾフラン−１，３−ジオン−５−イル）（エトキシ）メチルシロキシ−３，５，７，９，１１，１３，１５−ヘプタキス（トリメチルシロキシ）ペンタシクロ［９．５．１．１3,9．１5,15．１7,13］オクタシロキサン、
１−（グリシジルオキシプロピル）ジエトキシシロキシ−３，５，７，９，１１，１３，１５−ヘプタキス（トリメチルシロキシ）ペンタシクロ［９．５．１．１3,9．１5,15．１7,13］オクタシロキサン、１−（３，４−エポキシシクロヘキシルエチル）ジエトキシシロキシ−３，５，７，９，１１，１３，１５−ヘプタキス（トリメチルシロキシ）ペンタシクロ［９．５．１．１3,9．１5,15．１7,13］オクタシロキサン、１−（３−アクリロイルオキシプロピル）ジエトキシシロキシ−３，５，７，９，１１，１３，１５−ヘプタキス（トリメチルシロキシ）ペンタシクロ［９．５．１．１3,9．１5,15．１7,13］オクタシロキサン、１−（３−メタクリロイルオキシプロピル）ジエトキシシロキシ−３，５，７，９，１１，１３，１５−ヘプタキス（トリメチルシロキシ）ペンタシクロ［９．５．１．１3,9．１5,15．１7,13］オクタシロキサン、１−（テトラヒドロフラン−２，５−ジオン−３−イルプロピル）ジエトキシシロキシ−３，５，７，９，１１，１３，１５−ヘプタキス（トリメチルシロキシ）ペンタシクロ［９．５．１．１3,9．１5,15．１7,13］オクタシロキサン、１−（１，３−ジヒドロイソベンゾフラン−１，３−ジオン−５−イル）ジエトキシシロキシ−３，５，７，９，１１，１３，１５−ヘプタキス（トリメチルシロキシ）ペンタシクロ［９．５．１．１3,9．１5,15．１7,13］オクタシロキサン、
１−（グリシジルオキシプロピル）ジメチルシロキシ−３，５，７，９，１１，１３，１５−ヘプタキス（エチルジメチルシロキシ）ペンタシクロ［９．５．１．１3,9．１5,15．１7,13］オクタシロキサン、１−（３，４−エポキシシクロヘキシルエチル）ジメチルシロキシ−３，５，７，９，１１，１３，１５−ヘプタキス（エチルジメチルシロキシ）ペンタシクロ［９．５．１．１3,9．１5,15．１7,13］オクタシロキサン、１−（３−アクリロイルオキシプロピル）ジメチルシロキシ−３，５，７，９，１１，１３，１５−ヘプタキス（エチルジメチルシロキシ）ペンタシクロ［９．５．１．１3,9．１5,15．１7,13］オクタシロキサン、１−（３−メタクリロイルオキシプロピル）ジメチルシロキシ−３，５，７，９，１１，１３，１５−ヘプタキス（エチルジメチルシロキシ）ペンタシクロ［９．５．１．１3,9．１5,15．１7,13］オクタシロキサン、１−（テトラヒドロフラン−２，５−ジオン−３−イルプロピル）ジメチルシロキシ−３，５，７，９，１１，１３，１５−ヘプタキス（エチルジメチルシロキシ）ペンタシクロ［９．５．１．１3,9．１5,15．１7,13］オクタシロキサン、１−（１，３−ジヒドロイソベンゾフラン−１，３−ジオン−５−イル）ジメチルシロキシ−３，５，７，９，１１，１３，１５−ヘプタキス（エチルジメチルシロキシ）ペンタシクロ［９．５．１．１3,9．１5,15．１7,13］オクタシロキサン、
１−（グリシジルオキシプロピル）ジメチルシロキシ−３，５，７，９，１１，１３，１５−ヘプタキス（トリエチルシロキシ）ペンタシクロ［９．５．１．１3,9．１5,15．１7,13］オクタシロキサン、１−（３，４−エポキシシクロヘキシルエチル）ジメチルシロキシ−３，５，７，９，１１，１３，１５−ヘプタキス（トリエチルシロキシ）ペンタシクロ［９．５．１．１3,9．１5,15．１7,13］オクタシロキサン、１−（３−アクリロイルオキシプロピル）ジメチルシロキシ−３，５，７，９，１１，１３，１５−ヘプタキス（トリエチルシロキシ）ペンタシクロ［９．５．１．１3,9．１5,15．１7,13］オクタシロキサン、１−（３−メタクリロイルオキシプロピル）ジメチルシロキシ−３，５，７，９，１１，１３，１５−ヘプタキス（トリエチルシロキシ）ペンタシクロ［９．５．１．１3,9．１5,15．１7,13］オクタシロキサン、１−（テトラヒドロフラン−２，５−ジオン−３−イルプロピル）ジメチルシロキシ−３，５，７，９，１１，１３，１５−ヘプタキス（トリエチルシロキシ）ペンタシクロ［９．５．１．１3,9．１5,15．１7,13］オクタシロキサン、１−（１，３−ジヒドロイソベンゾフラン−１，３−ジオン−５−イル）ジメチルシロキシ−３，５，７，９，１１，１３，１５−ヘプタキス（トリエチルシロキシ）ペンタシクロ［９．５．１．１3,9．１5,15．１7,13］オクタシロキサン、
１−（グリシジルオキシプロピル）ジメチルシロキシ−３，５，７，９，１１，１３，１５−ヘプタキス（フェニルジメチルシロキシ）ペンタシクロ［９．５．１．１3,9．１5,15．１7,13］オクタシロキサン、１−（３，４−エポキシシクロヘキシルエチル）ジメチルシロキシ−３，５，７，９，１１，１３，１５−ヘプタキス（フェニルジメチルシロキシ）ペンタシクロ［９．５．１．１3,9．１5,15．１7,13］オクタシロキサン、１−（３−アクリロイルオキシプロピル）ジメチルシロキシ−３，５，７，９，１１，１３，１５−ヘプタキス（フェニルジメチルシロキシ）ペンタシクロ［９．５．１．１3,9．１5,15．１7,13］オクタシロキサン、１−（３−メタクリロイルオキシプロピル）ジメチルシロキシ−３，５，７，９，１１，１３，１５−ヘプタキス（フェニルジメチルシロキシ）ペンタシクロ［９．５．１．１3,9．１5,15．１7,13］オクタシロキサン、１−（テトラヒドロフラン−２，５−ジオン−３−イルプロピル）ジメチルシロキシ−３，５，７，９，１１，１３，１５−ヘプタキス（フェニルジメチルシロキシ）ペンタシクロ［９．５．１．１3,9．１5,15．１7,13］オクタシロキサン、１−（１，３−ジヒドロイソベンゾフラン−１，３−ジオン−５−イル）ジメチルシロキシ−３，５，７，９，１１，１３，１５−ヘプタキス（フェニルジメチルシロキシ）ペンタシクロ［９．５．１．１3,9．１5,15．１7,13］オクタシロキサン、
１−（グリシジルオキシプロピル）ジメチルシロキシ−３，５，７，９，１１，１３，１５−ヘプタキス（ｔｅｒｔ−ブチルジメチルシロキシ）ペンタシクロ［９．５．１．１3,9．１5,15．１7,13］オクタシロキサン、１−（３，４−エポキシシクロヘキシルエチル）ジメチルシロキシ−３，５，７，９，１１，１３，１５−ヘプタキス（ｔｅｒｔ−ブチルジメチルシロキシ）ペンタシクロ［９．５．１．１3,9．１5,15．１7,13］オクタシロキサン、１−（３−アクリロイルオキシプロピル）ジメチルシロキシ−３，５，７，９，１１，１３，１５−ヘプタキス（ｔｅｒｔ−ブチルジメチルシロキシ）ペンタシクロ［９．５．１．１3,9．１5,15．１7,13］オクタシロキサン、１−（３−メタクリロイルオキシプロピル）ジメチルシロキシ−３，５，７，９，１１，１３，１５−ヘプタキス（ｔｅｒｔ−ブチルジメチルシロキシ）ペンタシクロ［９．５．１．１3,9．１5,15．１7,13］オクタシロキサン、１−（テトラヒドロフラン−２，５−ジオン−３−イルプロピル）ジメチルシロキシ−３，５，７，９，１１，１３，１５−ヘプタキス（ｔｅｒｔ−ブチルジメチルシロキシ）ペンタシクロ［９．５．１．１3,9．１5,15．１7,13］オクタシロキサン、１−（１，３−ジヒドロイソベンゾフラン−１，３−ジオン−５−イル）ジメチルシロキシ−３，５，７，９，１１，１３，１５−ヘプタキス（ｔｅｒｔ−ブチルジメチルシロキシ）ペンタシクロ［９．５．１．１3,9．１5,15．１7,13］オクタシロキサン、
１−（グリシジルオキシプロピル）ジメチルシロキシ−３，５，７，９，１１，１３，１５−ヘプタキス（クロロメチルジメチルシロキシ）ペンタシクロ［９．５．１．１3,9．１5,15．１7,13］オクタシロキサン、１−（３，４−エポキシシクロヘキシルエチル）ジメチルシロキシ−３，５，７，９，１１，１３，１５−ヘプタキス（クロロメチルジメチルシロキシ）ペンタシクロ［９．５．１．１3,9．１5,15．１7,13］オクタシロキサン、１−（３−アクリロイルオキシプロピル）ジメチルシロキシ−３，５，７，９，１１，１３，１５−ヘプタキス（クロロメチルジメチルシロキシ）ペンタシクロ［９．５．１．１3,9．１5,15．１7,13］オクタシロキサン、１−（３−メタクリロイルオキシプロピル）ジメチルシロキシ−３，５，７，９，１１，１３，１５−ヘプタキス（クロロメチルジメチルシロキシ）ペンタシクロ［９．５．１．１3,9．１5,15．１7,13］オクタシロキサン、１−（テトラヒドロフラン−２，５−ジオン−３−イルプロピル）ジメチルシロキシ−３，５，７，９，１１，１３，１５−ヘプタキス（クロロメチルジメチルシロキシ）ペンタシクロ［９．５．１．１3,9．１5,15．１7,13］オクタシロキサン、１−（１，３−ジヒドロイソベンゾフラン−１，３−ジオン−５−イル）ジメチルシロキシ−３，５，７，９，１１，１３，１５−ヘプタキス（クロロメチルジメチルシロキシ）ペンタシクロ［９．５．１．１3,9．１5,15．１7,13］オクタシロキサン、
１−（グリシジルオキシプロピル）ジメチルシロキシ−３，５，７，９，１１，１３，１５−ヘプタキス［（３−クロロプロピル）ジメチルシロキシ］ペンタシクロ［９．５．１．１3,9．１5,15．１7,13］オクタシロキサン、１−（３，４−エポキシシクロヘキシルエチル）ジメチルシロキシ−３，５，７，９，１１，１３，１５−ヘプタキス［（３−クロロプロピル）ジメチルシロキシ］ペンタシクロ［９．５．１．１3,9．１5,15．１7,13］オクタシロキサン、１−（３−アクリロイルオキシプロピル）ジメチルシロキシ−３，５，７，９，１１，１３，１５−ヘプタキス［（３−クロロプロピル）ジメチルシロキシ］ペンタシクロ［９．５．１．１3,9．１5,15．１7,13］オクタシロキサン、１−（３−メタクリロイルオキシプロピル）ジメチルシロキシ−３，５，７，９，１１，１３，１５−ヘプタキス［（３−クロロプロピル）ジメチルシロキシ］ペンタシクロ［９．５．１．１3,9．１5,15．１7,13］オクタシロキサン、１−（テトラヒドロフラン−２，５−ジオン−３−イルプロピル）ジメチルシロキシ−３，５，７，９，１１，１３，１５−ヘプタキス（３−クロロプロピルジメチルシロキシ）ペンタシクロ［９．５．１．１3,9．１5,15．１7,13］オクタシロキサン、１−（１，３−ジヒドロイソベンゾフラン−１，３−ジオン−５−イル）ジメチルシロキシ−３，５，７，９，１１，１３，１５−ヘプタキス（３−クロロプロピルジメチルシロキシ）ペンタシクロ［９．５．１．１3,9．１5,15．１7,13］オクタシロキサン、
１−（グリシジルオキシプロピル）ジメチルシロキシ−３，５，７，９，１１，１３，１５−ヘプタキス（３，３，３−トリフルオロプロピルジメチルシロキシ）ペンタシクロ［９．５．１．１3,9．１5,15．１7,13］オクタシロキサン、１−（３，４−エポキシシクロヘキシルエチル）ジメチルシロキシ−３，５，７，９，１１，１３，１５−ヘプタキス［３，３，３−トリフルオロプロピルジメチルシロキシ］ペンタシクロ［９．５．１．１3,9．１5,15．１7,13］オクタシロキサン、１−（３−アクリロイルオキシプロピル）ジメチルシロキシ−３，５，７，９，１１，１３，１５−ヘプタキス［３，３，３−（トリフルオロプロピル）ジメチルシロキシ］ペンタシクロ［９．５．１．１3,9．１5,15．１7,13］オクタシロキサン、１−（３−メタクリロイルオキシプロピル）ジメチルシロキシ−３，５，７，９，１１，１３，１５−ヘプタキス［３，３，３−（トリフルオロプロピル）ジメチルシロキシ］ペンタシクロ［９．５．１．１3,9．１5,15．１7,13］オクタシロキサン、１−（テトラヒドロフラン−２，５−ジオン−３−イルプロピル）ジメチルシロキシ−３，５，７，９，１１，１３，１５−ヘプタキス（３，３，３−トリフルオロプロピルジメチルシロキシ）ペンタシクロ［９．５．１．１3,9．１5,15．１7,13］オクタシロキサン、１−（１，３−ジヒドロイソベンゾフラン−１，３−ジオン−５−イル）ジメチルシロキシ−３，５，７，９，１１，１３，１５−ヘプタキス（３，３，３−トリフルオロプロピルジメチルシロキシ）ペンタシクロ［９．５．１．１3,9．１5,15．１7,13］オクタシロキサン、
１−（グリシジルオキシプロピル）ジメチルシロキシ−３，５，７，９，１１，１３，１５−ヘプタキス［（ノナフルオロヘキシル）ジメチルシロキシ］ペンタシクロ［９．５．１．１3,9．１5,15．１7,13］オクタシロキサン、１−（３，４−エポキシシクロヘキシルエチル）ジメチルシロキシ−３，５，７，９，１１，１３，１５−ヘプタキス［（ノナフルオロヘキシル）ジメチルシロキシ］ペンタシクロ［９．５．１．１3,9．１5,15．１7,13］オクタシロキサン、１−（３−アクリロイルオキシプロピル）ジメチルシロキシ−３，５，７，９，１１，１３，１５−ヘプタキス［（ノナフルオロヘキシル）ジメチルシロキシ］ペンタシクロ［９．５．１．１3,9．１5,15．１7,13］オクタシロキサン、１−（３−メタクリロイルオキシプロピル）ジメチルシロキシ−３，５，７，９，１１，１３，１５−ヘプタキス［（ノナフルオロヘキシル）ジメチルシロキシ］ペンタシクロ［９．５．１．１3,9．１5,15．１7,13］オクタシロキサン、１−（テトラヒドロフラン−２，５−ジオン−３−イルプロピル）ジメチルシロキシ−３，５，７，９，１１，１３，１５−ヘプタキス［（ノナフルオロヘキシル）ジメチルシロキシ］ペンタシクロ［９．５．１．１3,9．１5,15．１7,13］オクタシロキサン、１−（１，３−ジヒドロイソベンゾフラン−１，３−ジオン−５−イル）ジメチルシロキシ−３，５，７，９，１１，１３，１５−ヘプタキス［（ノナフルオロヘキシル）ジメチルシロキシ］ペンタシクロ［９．５．１．１3,9．１5,15．１7,13］オクタシロキサン、
１−（グリシジルオキシプロピル）ジメチルシロキシ−３，５，７，９，１１，１３，１５−ヘプタキス［（ヘプタデカフルオロデシル）ジメチルシロキシ］ペンタシクロ［９．５．１．１3,9．１5,15．１7,13］オクタシロキサン、１−（３，４−エポキシシクロヘキシルエチル）ジメチルシロキシ−３，５，７，９，１１，１３，１５−ヘプタキス［（ヘプタデカフルオロデシル）ジメチルシロキシ］ペンタシクロ［９．５．１．１3,9．１5,15．１7,13］オクタシロキサン、１−（３−アクリロイルオキシプロピル）ジメチルシロキシ−３，５，７，９，１１，１３，１５−ヘプタキス［（ヘプタデカフルオロデシル）ジメチルシロキシ］ペンタシクロ［９．５．１．１3,9．１5,15．１7,13］オクタシロキサン、１−（３−メタクリロイルオキシプロピル）ジメチルシロキシ−３，５，７，９，１１，１３，１５−ヘプタキス［（ヘプタデカフルオロデシル）ジメチルシロキシ］ペンタシクロ［９．５．１．１3,9．１5,15．１7,13］オクタシロキサン、１−（テトラヒドロフラン−２，５−ジオン−３−イルプロピル）ジメチルシロキシ−３，５，７，９，１１，１３，１５−ヘプタキス［（ヘプタデカフルオロデシル）ジメチルシロキシ］ペンタシクロ［９．５．１．１3,9．１5,15．１7,13］オクタシロキサン、１−（１，３−ジヒドロイソベンゾフラン−１，３−ジオン−５−イル）ジメチルシロキシ−３，５，７，９，１１，１３，１５−ヘプタキス［（ヘプタデカフルオロデシル）ジメチルシロキシ］ペンタシクロ［９．５．１．１3,9．１5,15．１7,13］オクタシロキサン等が挙げられる。
【００３６】
また、本発明は一般式（１）で表されるかご状オリゴシロキサン構造を有する一官能性モノマーの製造方法を提供する。即ち、下記一般式（２）で表されるシラノール部位を有するかご状オリゴシロキサンと、下記一般式（３）で表される有機ケイ素化合物とを反応させることを特徴とする一般式（１）で表されるかご状オリゴシロキサン構造を有する一官能性モノマーの製造方法である。
【００３７】
【化１０】
2006104325.tif 000011
【００３８】
【化１１】
2006104325.tif 000012
【００３９】
上記一般式（２）において、Ｒは一般式（１）で定義したものと同じ置換基を表す。
【００４０】
上記一般式（２）で表される化合物は、例えばテトラメチルアンモニウムシリケートとトリオルガノクロロシランの反応により生成することが長谷川らにより報告されている（Ｓｙｎｔｈｅｓｉｓ  ａｎｄ  Ｒｅａｃｔｉｖｉｔｙ  ｉｎ  Ｉｎｏｒｇａｎｉｃ  ａｎｄ  Ｍｅｔａｌ−Ｏｒｇａｎｉｃ  Ｃｈｅｍｉｓｔｒｙ，１９９４年、２４巻、ｐ１０９９−１１１０）。
【００４１】
また、上記一般式（３）において、Ｘ及びＲ1は一般式（１）で定義したものと同じ置換基を表す。上記一般式（３）において、Ａは炭素数１〜２０のオルガノキシ基又はハロゲン原子を表す。置換基Ａの具体例としては、メトキシ基、メトキシメトキシ基、エトキシ基、メトキシエトキシ基、エトキシエトキシ基、ｎ−プロポキシ基、イソプロポキシ基、ｎ−ブトキシ基、イソブトキシ基、ｔｅｒｔ−ブトキシ基、ペンチルオキシ基、シクロペンチルオキシ基、イソペンチルオキシ基、ｔｅｒｔ−ペンチルオキシ基、ヘキシルオキシ基、シクロヘキシルオキシ基、２−エチルヘキシルオキシ基、オクチルオキシ基、イソオクチルオキシ基、デシルオキシ基、ドデシルオキシ基、ステアリルオキシ基、テトラデシルオキシ基、ヘキサデシルオキシ基、オクタデシルオキシ基、イコシルオキシ基、フェノキシ基、４−ｔｅｒｔ−ブチルフェノキシ基、２−トリルオキシ基、３−トリルオキシ基、４−トリルオキシ基、２，６−ジメチルフェノキシ基、２，４−ジメチルフェノキシ基、３，５−ジメチルフェノキシ基、３，４−ジメチルフェノキシ基、２，５−ジメチルフェノキシ基、ナフチルオキシ基、ビフェニリルオキシ基、ベンジルオキシ基、フェニルエチルオキシ基等のオルガノキシ基、フルオロ基、クロロ基、ブロモ基、ヨード基等が挙げられる。
【００４２】
上記一般式（３）で表される化合物としては、例えばオキシラニルジメチルメトキシシラン、オキシラニルジメチルエトキシシラン、オキシラニルジメチルイソプロポキシシラン、オキシラニルメチルジメトキシシラン、オキシラニルメチルジエトキシシラン、オキシラニルトリメトキシシラン、オキシラニルトリエトキシシラン、
（２，３−エポキシプロピル）ジメチルメトキシシラン、（２，３−エポキシプロピル）ジメチルエトキシシラン、（２，３−エポキシプロピル）ジメチルイソプロポキシシラン、（２，３−エポキシプロピル）メチルジメトキシシラン、（２，３−エポキシプロピル）メチルジエトキシシラン、（２，３−エポキシプロピル）トリメトキシシラン、（２，３−エポキシプロピル）トリエトキシシラン、
（３，４−エポキシシクロヘキシル）ジメチルメトキシシラン、（３，４−エポキシシクロヘキシル）ジメチルエトキシシラン、（３，４−エポキシシクロヘキシル）ジメチルイソプロポキシシラン、（３，４−エポキシシクロヘキシル）メチルジメトキシシラン、（３，４−エポキシシクロヘキシル）メチルジエトキシシラン、（３，４−エポキシシクロヘキシル）トリメトキシシラン、（３，４−エポキシシクロヘキシル）トリエトキシシラン、
（２，３−エポキシシクロヘキシル）ジメチルメトキシシラン、（２，３−エポキシシクロヘキシル）ジメチルエトキシシラン、（２，３−エポキシシクロヘキシル）ジメチルイソプロポキシシラン、（２，３−エポキシシクロヘキシル）メチルジメトキシシラン、（２，３−エポキシシクロヘキシル）メチルジエトキシシラン、（２，３−エポキシシクロヘキシル）トリメトキシシラン、（２，３−エポキシシクロヘキシル）トリエトキシシラン、
（グリシジルオキシプロピル）ジメチルメトキシシラン、（グリシジルオキシプロピル）ジメチルエトキシシラン、（グリシジルオキシプロピル）ジメチルイソプロポキシシラン、（グリシジルオキシプロピル）メチルジメトキシシラン、（グリシジルオキシプロピル）メチルジエトキシシラン、（グリシジルオキシプロピル）トリメトキシシラン、（グリシジルオキシプロピル）トリエトキシシラン、
（３，４−エポキシシクロヘキシルエチル）ジメチルメトキシシラン、（３，４−エポキシシクロヘキシルエチル）ジメチルエトキシシラン、（３，４−エポキシシクロヘキシルエチル）ジメチルイソプロポキシシラン、（３，４−エポキシシクロヘキシルエチル）メチルジメトキシシラン、（３，４−エポキシシクロヘキシルエチル）メチルジエトキシシラン、（３，４−エポキシシクロヘキシルエチル）トリメトキシシラン、（３，４−エポキシシクロヘキシルエチル）トリエトキシシラン、
オキセタニルジメチルメトキシシラン、オキセタニルジメチルエトキシシラン、オキセタニルジメチルイソプロポキシシラン、オキセタニルメチルジメトキシシラン、オキセタニルメチルジエトキシシラン、オキセタニルトリメトキシシラン、オキセタニルトリエトキシシラン、
アクリロイルオキシプロピルジメチルクロロシラン、アクリロイルオキシプロピルジメチルブロモシラン、アクリロイルオキシプロピルジメチルヨードシラン、アクリロイルオキシプロピルジメチルフルオロシラン、アクリロイルオキシプロピルメチルジクロロシラン、アクリロイルオキシプロピルトリクロロシラン、アクリロイルオキシプロピルジメチルメトキシシラン、アクリロイルオキシプロピルジメチルエトキシシラン、アクリロイルオキシプロピルジメチルイソプロポキシシラン、アクリロイルオキシプロピルメチルジメトキシシラン、アクリロイルオキシプロピルメチルジエトキシシラン、アクリロイルオキシプロピルトリメトキシシラン、アクリロイルオキシプロピルトリエトキシシラン、
メタクリロイルオキシプロピルジメチルクロロシラン、メタクリロイルオキシプロピルジメチルブロモシラン、メタクリロイルオキシプロピルジメチルヨードシラン、メタクリロイルオキシプロピルジメチルフルオロシラン、メタクリロイルオキシプロピルメチルジクロロシラン、メタクリロイルオキシプロピルトリクロロシラン、メタクリロイルオキシプロピルジメチルメトキシシラン、メタクリロイルオキシプロピルジメチルエトキシシラン、メタクリロイルオキシプロピルジメチルイソプロポキシシラン、メタクリロイルオキシプロピルメチルジメトキシシラン、メタクリロイルオキシプロピルメチルジエトキシシラン、メタクリロイルオキシプロピルトリメトキシシラン、メタクリロイルオキシプロピルトリエトキシシラン、（テトラヒドロフラン−２，５−ジオン−３−イルプロピル）ジメチルクロロシラン、（テトラヒドロフラン−２，５−ジオン−３−イルプロピル）ジメチルブロモシラン、（テトラヒドロフラン−２，５−ジオン−３−イルプロピル）ジメチルヨードシラン、（テトラヒドロフラン−２，５−ジオン−３−イルプロピル）ジメチルフルオロシラン、（テトラヒドロフラン−２，５−ジオン−３−イルプロピル）メチルジクロロシラン、（テトラヒドロフラン−２，５−ジオン−３−イルプロピル）トリクロロシラン、（テトラヒドロフラン−２，５−ジオン−３−イルプロピル）ジメチルメトキシシラン、（テトラヒドロフラン−２，５−ジオン−３−イルプロピル）ジメチルエトキシシラン、（テトラヒドロフラン−２，５−ジオン−３−イルプロピル）ジメチルイソプロポキシシラン、（テトラヒドロフラン−２，５−ジオン−３−イルプロピル）メチルジメトキシシラン、（テトラヒドロフラン−２，５−ジオン−３−イルプロピル）メチルジエトキシシラン、（テトラヒドロフラン−２，５−ジオン−３−イルプロピル）トリメトキシシラン、（テトラヒドロフラン−２，５−ジオン−３−イルプロピル）トリエトキシシラン、（１，３−ジヒドロイソベンゾフラン−１，３−ジオン−５−イル）ジメチルクロロシラン、（１，３−ジヒドロイソベンゾフラン−１，３−ジオン−５−イル）ジメチルブロモシラン、（１，３−ジヒドロイソベンゾフラン−１，３−ジオン−５−イル）ジメチルヨードシラン、（１，３−ジヒドロイソベンゾフラン−１，３−ジオン−５−イル）ジメチルフルオロシラン、（１，３−ジヒドロイソベンゾフラン−１，３−ジオン−５−イル）メチルジクロロシラン、（１，３−ジヒドロイソベンゾフラン−１，３−ジオン−５−イル）トリクロロシラン、（１，３−ジヒドロイソベンゾフラン−１，３−ジオン−５−イル）ジメチルメトキシシラン、（１，３−ジヒドロイソベンゾフラン−１，３−ジオン−５−イル）ジメチルエトキシシラン、（１，３−ジヒドロイソベンゾフラン−１，３−ジオン−５−イル）ジメチルイソプロポキシシラン、（１，３−ジヒドロイソベンゾフラン−１，３−ジオン−５−イル）メチルジメトキシシラン（１，３−ジヒドロイソベンゾフラン−１，３−ジオン−５−イル）メチルジエトキシシラン、（１，３−ジヒドロイソベンゾフラン−１，３−ジオン−５−イル）トリメトキシシラン、（１，３−ジヒドロイソベンゾフラン−１，３−ジオン−５−イル）トリエトキシシラン等が挙げられる。
【００４３】
本発明のかご状オリゴシロキサン構造を有する一官能性モノマーの製造方法では、上記一般式（２）で表されるシラノール部位を有するかご状オリゴシロキサンと、上記一般式（３）で表される有機ケイ素化合物とを反応させる。反応に用いる上記一般式（２）の化合物と上記一般式（３）の化合物のモル比は理論的に１：１であるが、どちらかの化合物を過剰量使用しても構わない。
【００４４】
反応には酸や塩基を触媒あるいは促進剤として用いることが好ましい。使用できる酸の例としては、塩酸、臭化水素酸、ヨウ化水素酸、リン酸、硫酸、酢酸、プロピオン酸、トリフルオロ酢酸、メタンスルホン酸、ベンゼンスルホン酸、ｐ−トルエンスルホン酸、ドデシルベンゼンスルホン酸、トリフルオロメタンスルホン酸等が挙げられる。これらの酸の使用量は通常０．１〜５０モル％である。
【００４５】
また、使用できる塩基の例としては、トリエチルアミン、トリブチルアミン、Ｎ−メチルピペリジン、１，４−ジアザビシクロ［２．２．２］オクタン、Ｎ，Ｎ−ジメチルアニリン等のアミン、ピリジン、Ｎ，Ｎ−ジメチルアミノピリジン、１，８−ジアザビシクロ［５．４．０］−７−ウンデセン等の窒素含有複素環化合物、酢酸ナトリウム、酢酸カリウム、炭酸ナトリウム、炭酸カリウム、炭酸セシウム、リン酸カリウム等の塩類等が挙げられる。これらの塩基の使用量は、触媒としては通常０．１〜５０モル％であり、促進剤（酸捕捉剤）としては通常１〜１．５当量が用いられる。
【００４６】
反応は常圧下又は減圧下、窒素等の不活性ガス雰囲気下で行うのが一般的であるが、必ずしもこれに限定されない。反応温度は通常−２０〜１００℃、好ましくは０〜６０℃である。
【００４７】
反応は溶媒を使用して行うことが好ましい。溶媒としては、ヘキサン、イソオクタン、ベンゼン、トルエン、キシレン等の炭化水素や、ジクロロメタン、ジクロロエタン等のハロゲン化炭化水素、ジエチルエーテル、テトラヒドロフラン等のエーテル、アセトンやメチルイソブチルケトン等のケトン、Ｎ，Ｎ−ジメチルアセタミド、Ｎ，Ｎ−ジメチルホルムアミド、Ｎ−メチルピロリドン等のアミド、アセトニトリル、ベンゾニトリル等のニトリル、ジメチルスルホキシド、スルホラン等の硫黄化合物等を用いることができる。
【００４８】
反応の際に重合禁止剤を添加することは任意である。重合禁止剤としては、例えば２，６−ジ−ｔｅｒｔ−ブチル−４−メチルフェノール（ＢＨＴ）、１，３，５−トリス（３，５−ジ−ｔｅｒｔ−ブチル−４−ヒドロキシベンジル）−２，４，６−トリメチルベンゼンのようなヒンダードフェノール化合物が代表的である。
【００４９】
本発明は更に、一般式（１）で表される化合物の別の製造方法を提供する。つまり、下記一般式（２）で表されるシラノール部位を有するかご状オリゴシロキサンと下記一般式（４）で表される有機ケイ素化合物とを反応させた後、下記一般式（５）で表される酸素原子を含有する重合性基を有する炭素数４０以下の不飽和化合物とヒドロシリル化反応により結合させることを特徴とする一般式（１）で表されるかご状オリゴシロキサン構造を有する一官能性モノマーの製造方法である。
【００５０】
【化１２】
2006104325.tif 000013
（式中、Ｒはハロゲン原子で置換されていてもよい炭素数１〜４０の非重合性一価炭化水素基を表し、同一ケイ素原子に結合したＲは互いに同一でも異なっていてもよい。）
【００５１】
【化１３】
2006104325.tif 000014
（式中、Ａは炭素数１〜２０のオルガノキシ基又はハロゲン原子を表す。Ｒ1は同一でも異なってもよく、炭素数１〜２０の飽和炭化水素基、炭素数６〜２０の芳香族炭化水素基、炭素数１〜２０のオルガノキシ基、ハロゲン原子の中から選ばれる基を表す。）
【００５２】
【化１４】
2006104325.tif 000015
（式中、Ｚは酸素原子を含有する炭素数１〜３８の重合性一価有機基を示す。）
【００５３】
上記一般式（４）におけるＡ及びＲ1は前述の一般式（３）におけるＡ及びＲ1と同じ置換基を表し、上記一般式（２）の化合物と上記一般式（４）の化合物との反応条件は上記一般式（２）の化合物と式（３）の化合物との反応条件と同様である。
得られたＨ−Ｓｉ基を有するかご状オリゴシロキサンと、上記一般式（５）で表される不飽和化合物とをヒドロシリル化反応によって結合させることにより、本発明のかご状オリゴシロキサン構造を有する一官能性モノマーが得られる。上記一般式（５）の化合物として具体的には、例えば、３，４−エポキシ−１−ブテン、アリルグリシジルエーテル、３，４−エポキシ−１−ビニルシクロヘキセン等の環状エーテル含有不飽和化合物、アクリル酸アリル、メタクリル酸アリル、Ｎ−アリルアクリルアミド、Ｎ−アリルメタクリルアミド等の（メタ）アクリロイル基含有不飽和化合物、アリルコハク酸無水物等の環状酸無水物含有不飽和化合物、アリルビニルエーテル等のビニルエーテル含有基化合物等が挙げられる。
【００５４】
ヒドロシリル化反応は通常、後周期遷移金属触媒の存在下に行われるが、特に白金触媒の使用が好ましい。白金触媒の例としては、塩化白金酸、塩化白金、酸化白金、白金黒、白金／活性炭、白金（０）テトラメチルジビニルジシロキサン錯体、白金（０）テトラメチルテトラビニルシクロテトラシロキサン錯体、テトラキス（トリフェニルフォスフィン）白金（０）、ジクロロ（１，５−シクロオクタジエン）白金（ＩＩ）等が挙げられる。遷移金属触媒の使用量はＨ−Ｓｉ基のモル数に対して０．００００１〜１０モル％、好ましくは０．０００１〜１モル％である。
ヒドロシリル化反応の際には溶媒を使用してもよい。用いられる溶媒の例としては、ヘキサン、イソオクタン、トルエン、キシレン等の炭化水素、塩化メチレン、クロロホルム、ジクロロエタン等のハロゲン化炭化水素等が挙げられる。反応は通常窒素やアルゴンなどの不活性ガス雰囲気下で行われるが、触媒の活性化のために少量の酸素が系内に導入される揚合もある。反応温度は−２０〜２００℃、好ましくは０〜１５０℃である。反応終了後、濾過、洗浄、吸着、再結晶、カラムクロマトグラフィー等の方法により目的のかご状オリゴシロキサン構造を有する一官能性モノマーを単離することができる。
【実施例】
【００５５】
以下、実施例を示し、本発明を具体的に説明するが、本発明は下記の実施例に制限されるものではない。なお、下記の例において、反応はすべて窒素雰囲気下で行った。
【００５６】
［実施例１］  １−［（３−メタクリロイルオキシ）プロピル］ジメチルシロキシ−３，５，７，９，１１，１３，１５−ヘプタキス（トリメチルシロキシ）ペンタシクロ［９．５．１．１3,9．１5,15．１7,13］オクタシロキサンの合成
【００５７】
【化１５】
2006104325.tif 000016
【００５８】
ジムロート式還流冷却器、撹拌機、温度計、ラバーセプタムを備えた１００ｍＬの四つ口フラスコを窒素置換した。フラスコ内に１−ヒドロキシ−３，５，７，９，１１，１３，１５−ヘプタキス（トリメチルシロキシ）ペンタシクロ［９．５．１．１3,9．１5,15．１7,13］オクタシロキサン３．７０ｇ（３．５ｍｍｏｌ）をトルエン３３．３ｇに溶解して仕込んだ。３−（メタクリロイルオキシ）プロピルジメチルクロロシラン１．０６ｇ（４．８ｍｍｏｌ）を添加して室温で撹拌しながらトリエチルアミン０．４６ｇ（４．５５ｍｍｏｌ）を、マイクロシリンジを用いてラバーセプタムを通してゆっくりと滴下した。滴下後室温で１３時間撹拌した。水１０ｍＬを添加して分液し、有機層を減圧濃縮した。得られた粗生成物をアセトニトリル５ｍＬで三回洗浄した後、真空乾燥することにより、目的化合物が３．７２ｇの白色固体として得られた。収率は８６％であった。ＮＭＲ、ＭＡＬＤＩ−ＴＯＦＭＳ（マトリックス：コバルト）、ＧＰＣによる同定結果を以下に示す。
【００５９】
1Ｈ−ＮＭＲ（ＣＤＣｌ3，３００ＭＨｚ）：δ（ｐｐｍ）６．１１〜６．１０（１Ｈ，ｍ），５．５４（１Ｈ，ｑｕｉｎｔｅｔ，Ｊ＝１．７Ｈｚ），４．１０（１Ｈ，ｔ，Ｊ＝６．９Ｈｚ），１．９５（３Ｈ，ｓ），１．７８〜１．６７（２Ｈ，ｍ），０．６６〜０．６０（２Ｈ，ｍ），０．１６（６Ｈ，ｓ），０．１５（６３Ｈ，ｓ＋ｓ）
13Ｃ−ＮＭＲ（ＣＤＣｌ3，７５．６ＭＨｚ）：δ（ｐｐｍ）１６７．５，１３６．６，１２５．１，６７．１，２２．３，１８．３，１３．７，１．２，−０．５
29Ｓｉ−ＮＭＲ（ＣＤＣｌ3，５９．７ＭＨｚ）：δ（ｐｐｍ）１２．６，１２．４，−１０８．８，−１０８．９，−１０９．０
ＭＡＬＤＩ−ＴＯＦＭＳ：ｍ／ｚ  １２６３．４（Ｍ＋Ｎａ+）
ＧＰＣ（ポリスチレン換算、ＲＩ検出器）Ｍw＝１，２９５、Ｍw／Ｍn＝１．００５
【００６０】
［実施例２］  １−［（３−グリシジルオキシ）プロピル］ジメチルシロキシ−３，５，７，９，１１，１３，１５−ヘプタキス（トリメチルシロキシ）ペンタシクロ［９．５．１．１3,9．１5,15．１7,13］オクタシロキサンの合成
【００６１】
【化１６】
2006104325.tif 000017
【００６２】
ジムロート式還流冷却器、撹拌機、温度計、ラバーセプタムを備えた１００ｍＬの四つ口フラスコを窒素置換した。フラスコ内に１−ヒドロキシ−３，５，７，９，１１，１３，１５−ヘプタキス（トリメチルシロキシ）ペンタシクロ［９．５．１．１3,9．１5,15．１7,13］オクタシロキサン３．７０ｇ（３．５ｍｍｏｌ）をトルエン３３．３ｇに溶解して仕込んだ。ジメチルクロロシラン０．４７ｇ（５．０ｍｍｏｌ）を添加して室温で撹拌しながらトリエチルアミン０．４８ｇ（４．９ｍｍｏｌ）を、マイクロシリンジを用いてラバーセプタムを通してゆっくりと滴下した。滴下後室温で１０時間撹拌した。水１０ｍＬを添加して分液し、有機層を減圧濃縮した。得られた粗生成物をメタノール５ｍＬで三回洗浄した後、真空乾燥することにより、中間体である１−ジメチルシロキシ−３，５，７，９，１１，１３，１５−ヘプタキス（トリメチルシロキシ）ペンタシクロ［９．５．１．１3,9．１5,15．１7,13］オクタシロキサンが３．４８ｇの白色固体として得られた。収率は８９％であった。
【００６３】
次に、ジムロート式還流冷却器、撹拌機、温度計を備えた５０ｍＬの三つ口フラスコを窒素置換した。フラスコ内に得られた１−ジメチルシロキシ−３，５，７，９，１１，１３，１５−ヘプタキス（トリメチルシロキシ）ペンタシクロ［９．５．１．１3,9．１5,15．１7,13］オクタシロキサン３３５ｍｇ（０．３０ｍｍｏｌ）及びアリルグリシジルエーテル５１ｍｇ（０．４５ｍｍｏｌ）をトルエン３ｍＬに溶解して仕込んだ。白金（０）ジビニルテトラメチルジシロキサン錯体のトルエン溶液（白金３質量％）０．２ｍｇを添加して室温で１０時間撹拌した。反応混合物を減圧濃縮し、得られた粗生成物をメタノール３ｍＬで二回洗浄した後、真空乾燥することにより、１−［（３−グリシジルオキシ）プロピル］ジメチルシロキシ−３，５，７，９，１１，１３，１５−ヘプタキス（トリメチルシロキシ）ペンタシクロ［９．５．１．１3,9．１5,15．１7,13］オクタシロキサンが３２５ｍｇの白色固体として得られた。収率は８８％であった。ＮＭＲ、ＭＡＬＤＩ−ＴＯＦＭＳ（マトリックス：コバルト）、ＧＰＣによる同定結果を以下に示す。
【００６４】
1Ｈ−ＮＭＲ（ＣＤＣｌ3，３００ＭＨｚ）：δ（ｐｐｍ）３．６８（１Ｈ，ｄｄ，Ｊ＝１１．４Ｈｚ，３．３Ｈｚ），３．５２〜３．４２（２Ｈ，ｍ），３．４０（１Ｈ，ｄｄ，Ｊ＝１１．４Ｈｚ，５．７Ｈｚ），３．１７〜３．１１（１Ｈ，ｍ），２．７９（１Ｈ，ｄｄ，Ｊ＝５．１Ｈｚ，４．１Ｈｚ），２．６１（１Ｈ，ｄｄ，Ｊ＝５．１Ｈｚ，２．８Ｈｚ），１．７０〜１．５９（２Ｈ、ｍ），０．６４〜０．５８（２Ｈ，ｍ），０．１５＋０．１４（６９Ｈ，ｓ＋ｓ）
13Ｃ−ＮＭＲ（ＣＤＣｌ3，７５．６ＭＨｚ）：δ（ｐｐｍ）７４．２，７１．４，５０．８，４４．４，２３．２，１３．７，１．３，１．２，−０．４
29Ｓｉ−ＮＭＲ（ＣＤＣｌ3，５９．７ＭＨｚ）：δ（ｐｐｍ）１２．８，１２．６．−１０８．９
ＭＡＬＤＩ−ＴＯＦＭＳ：ｍ／ｚ  １２５１．７（Ｍ＋Ｎａ+）
ＧＰＣ（ポリスチレン換算、ＲＩ検出器）Ｍw＝１，２７３、Ｍw／Ｍn＝１．００５
【００６５】
［実施例３］  １−［２−（３，４−エポキシシクロヘキシル）エチル］ジメチルシロキシ−３，５，７，９，１１，１３，１５−ヘプタキス（トリメチルシロキシ）ペンタシクロ［９．５．１．１3,9．１5,15．１7,13］オクタシロキサンの合成
【００６６】
【化１７】
2006104325.tif 000018
【００６７】
ジムロート式還流冷却器、撹拌機、温度計を備えた５０ｍＬの三つ口フラスコを窒素置換した。フラスコ内に実施例２と同様にして合成した中間体である１−ジメチルシロキシ−３，５，７，９，１１，１３，１５−ヘプタキス（トリメチルシロキシ）ペンタシクロ［９．５．１．１3,9．１5,15．１7,13］オクタシロキサン３３５ｍｇ（０．３０ｍｍｏｌ）及び４−ビニルシクロヘキセンオキシド４５ｍｇ（０．３６ｍｍｏｌ）をトルエン３ｍＬに溶解して仕込んだ。白金（０）ジビニルテトラメチルジシロキサン錯体のトルエン溶液（白金３質量％）０．２ｍｇを添加して室温で２時間撹拌した。反応混合物を減圧濃縮し、得られた粗生成物をメタノール２ｍＬで三回洗浄した後、真空乾燥することにより、１−［２−（３，４−エポキシシクロヘキシル）エチル］ジメチルシロキシ−３，５，７，９，１１，１３，１５−ヘプタキス（トリメチルシロキシ）ペンタシクロ［９．５．１．１3,9．１5,15．１7,13］オクタシロキサンが３５２ｍｇの白色固体として得られた。収率は９５％であった。ＮＭＲ、ＭＡＬＤＩ−ＴＯＦＭＳ（マトリックス：コバルト）、ＧＰＣによる同定結果を以下に示す。
【００６８】
1Ｈ−ＮＭＲ（ＣＤＣｌ3，３００ＭＨｚ）：δ（ｐｐｍ）３．１８〜３．１１（２Ｈ，ｍ）、２．２２〜１．９４（２Ｈ、ｍ），１．８７〜１．６４（１Ｈ、ｍ）、１．５５〜０．８２（６Ｈ、ｍ）、０．５７〜０．５２（２Ｈ、ｍ）、０．１５（６３Ｈ、ｓ）０．１２（６Ｈ、ｓ＋ｓ）
13Ｃ−ＮＭＲ（ＣＤＣｌ3，７５．６ＭＨｚ）：δ（ｐｐｍ）５３．２，５２．７，５２．０，５１．９，３５．４，３２．２，３１．５，３１．４，２９．８，２９．２，２６．６，２５．４，２４．０，２３．６，１４．６，１４．５，１．３，１．２，−０．５×３
29Ｓｉ−ＮＭＲ（ＣＤＣｌ3，５９．７ＭＨｚ）：δ（ｐｐｍ）１２．９，１２．５，−１０８．９，−１０９．０，−１１０．６
ＭＡＬＤＩ−ＴＯＦＭＳ：ｍ／ｚ  １２６２．３（Ｍ＋Ｎａ+）
ＧＰＣ（ポリスチレン換算、ＲＩ検出器）Ｍw＝１，２０８、Ｍw／Ｍn＝１．００５